(57)【特許請求の範囲】
【請求項１】
車両内の装置に広告を配信するための広告配信システムであって、
前記車両の位置を示す位置情報を取得するように構成される第一取得部と、
前記装置に対応するユーザの生活圏を示す生活圏情報を取得するように構成される第二取得部と、
前記第一取得部により取得された前記位置情報、及び、前記第二取得部により取得された前記生活圏情報に基づき、広告群の中から、前記装置に配信する広告を選択するように構成される選択部と、
前記選択部により選択された広告を前記装置に配信するように構成される配信部と、
を備え、
前記広告群は、第一の広告群及び第二の広告群を含み、前記第一の広告群は、前記生活圏内に広告目的に対応する場所が存在する広告群であり、前記第二の広告群は、前記生活圏外に広告目的に対応する場所が存在する広告群であり、
前記選択部は、前記生活圏と前記車両の位置との関係に基づいて、前記第一の広告群と前記第二の広告群との間の配信割合を変更するように、前記装置に配信する広告を選択し、
前記第二の広告群の配信割合は、０％及び１００％を含まない範囲で、前記車両が前記生活圏から離れるほど増加する広告配信システム。
【請求項２】
前記第一の広告群は、前記生活圏内に広告目的に対応する場所が存在する日常的な行動に関する広告群であり、前記第二の広告群は、前記生活圏外に広告目的に対応する場所が存在する非日常的な行動に関する広告群である請求項１記載の広告配信システム。
【請求項３】
車両内の装置に広告を配信するための広告配信システムであって、
前記車両の位置を示す位置情報を取得するように構成される第一取得部と、
前記装置に対応するユーザの生活圏を示す生活圏情報を取得するように構成される第二取得部と、
前記第一取得部により取得された前記位置情報、及び、前記第二取得部により取得された前記生活圏情報に基づき、広告群の中から、前記装置に配信する広告を選択するように構成される選択部と、
前記選択部により選択された広告を前記装置に配信するように構成される配信部と、
を備え、
前記広告群は、前記生活圏に基づいて区別される第一の広告群及び第二の広告群を含み、
前記選択部は、前記生活圏と前記車両の位置との関係に基づいて、前記第一の広告群と前記第二の広告群との間の配信割合を変更するように、前記装置に配信する広告を選択し、前記車両が前記生活圏外に位置しているとき、前記車両の前記生活圏に対する進行方向に応じて、前記配信割合を変更する広告配信システム。
【請求項４】
車両内の装置に広告を配信するための広告配信システムであって、
前記車両の位置を示す位置情報を取得するように構成される第一取得部と、
前記装置に対応するユーザの生活圏を示す生活圏情報を取得するように構成される第二取得部と、
前記第一取得部により取得された前記位置情報、及び、前記第二取得部により取得された前記生活圏情報に基づき、広告群の中から、前記装置に配信する広告を選択するように構成される選択部と、
前記選択部により選択された広告を前記装置に配信するように構成される配信部と、
を備え、
前記広告群は、第一の広告群及び第二の広告群を含み、前記第一の広告群は、前記生活圏内に広告目的に対応する場所が存在する広告群であり、前記第二の広告群は、前記生活圏外に広告目的に対応する場所が存在する広告群であり、
前記選択部は、前記生活圏と前記車両の位置との関係に基づいて、前記第一の広告群と前記第二の広告群との間の配信割合を変更するように、前記装置に配信する広告を選択し、前記車両が前記生活圏外に位置しているとき、前記車両が前記生活圏に対して近づく方向に進行している場合には、前記第一の広告群の配信割合を増やし、前記車両が前記生活圏に対して離れる方向に進行している場合には、前記第二の広告群の配信割合を増やすように、前記配信割合を変更する広告配信システム。
【請求項５】
車両内の装置に広告を配信するための広告配信システムであって、
前記車両の位置を示す位置情報を取得するように構成される第一取得部と、
前記装置に対応するユーザの生活圏を示す生活圏情報を取得するように構成される第二取得部と、
前記第一取得部により取得された前記位置情報、及び、前記第二取得部により取得された前記生活圏情報に基づき、広告群の中から、前記装置に配信する広告を選択するように構成される選択部と、
前記選択部により選択された広告を前記装置に配信するように構成される配信部と、
を備え、
前記広告群は、第一の広告群及び第二の広告群を含み、前記第一の広告群は、前記生活圏内に広告目的に対応する場所が存在する広告群であり、前記第二の広告群は、前記生活圏外に広告目的に対応する場所が存在する広告群であり、
前記生活圏情報には、前記生活圏内の前記ユーザの複数の行動拠点が示され、
前記選択部は、前記生活圏と前記車両の位置との関係に基づいて、前記第一の広告群と前記第二の広告群との間の配信割合を変更するように、且つ、前記第一の広告群の中から、前記複数の行動拠点のそれぞれに関連する広告群が、前記車両の位置と前記複数の行動拠点との関係に応じた配信割合で配信されるように、前記装置に配信する広告を選択する広告配信システム。
【請求項６】
前記選択部は、前記車両内の車両乗員の構成に応じて、前記配信割合を変更するように構成される請求項１〜請求項５のいずれか一項記載の広告配信システム。
【請求項７】
請求項１〜請求項６のいずれか一項記載の広告配信システムにおける前記第一取得部、前記第二取得部、前記選択部、及び、前記配信部としてコンピュータを機能させるためのコンピュータプログラム。
【請求項８】
車両内の装置に広告を配信するための広告配信方法であって、
コンピュータが、
前記車両の位置を示す位置情報を取得することと、
前記装置に対応するユーザの生活圏を示す生活圏情報を取得することと、
取得した前記位置情報及び前記生活圏情報に基づき、広告群の中から、前記装置に配信する広告を選択することと、
前記選択した広告を前記装置に配信することと、
を含み、
前記広告群は、第一の広告群及び第二の広告群を含み、前記第一の広告群は、前記生活圏内に広告目的に対応する場所が存在する広告群であり、前記第二の広告群は、前記生活圏外に広告目的に対応する場所が存在する広告群であり、
前記選択することは、前記生活圏と前記車両の位置との関係に基づいて、前記第一の広告群と前記第二の広告群との間の配信割合を変更するように、前記装置に配信する広告を選択することを含み、
前記第二の広告群の配信割合は、０％及び１００％を含まない範囲で、前記車両が前記生活圏から離れるほど増加する広告配信方法。
【請求項９】
車両内の装置に広告を配信するための広告配信方法であって、
コンピュータが、
前記車両の位置を示す位置情報を取得することと、
前記装置に対応するユーザの生活圏を示す生活圏情報を取得することと、
取得した前記位置情報及び前記生活圏情報に基づき、広告群の中から、前記装置に配信する広告を選択することと、
前記選択した広告を前記装置に配信することと、
を含み、
前記広告群は、前記生活圏に基づいて区別される第一の広告群及び第二の広告群を含み、
前記選択することは、前記生活圏と前記車両の位置との関係に基づいて、前記第一の広告群と前記第二の広告群との間の配信割合を変更するように、前記装置に配信する広告を選択し、前記車両が前記生活圏外に位置しているとき、前記車両の前記生活圏に対する進行方向に応じて、前記配信割合を変更することを含む広告配信方法。
【請求項１０】
車両内の装置に広告を配信するための広告配信方法であって、
コンピュータが、
前記車両の位置を示す位置情報を取得することと、
前記装置に対応するユーザの生活圏を示す生活圏情報を取得することと、
取得した前記位置情報及び前記生活圏情報に基づき、広告群の中から、前記装置に配信する広告を選択することと、
前記選択した広告を前記装置に配信することと、
を含み、
前記広告群は、第一の広告群及び第二の広告群を含み、前記第一の広告群は、前記生活圏内に広告目的に対応する場所が存在する広告群であり、前記第二の広告群は、前記生活圏外に広告目的に対応する場所が存在する広告群であり、
前記選択することは、前記生活圏と前記車両の位置との関係に基づいて、前記第一の広告群と前記第二の広告群との間の配信割合を変更するように、前記装置に配信する広告を選択し、前記車両が前記生活圏外に位置しているとき、前記車両が前記生活圏に対して近づく方向に進行している場合には、前記第一の広告群の配信割合を増やし、前記車両が前記生活圏に対して離れる方向に進行している場合には、前記第二の広告群の配信割合を増やすように、前記配信割合を変更することを含む広告配信方法。
【請求項１１】
車両内の装置に広告を配信するための広告配信方法であって、
コンピュータが、
前記車両の位置を示す位置情報を取得することと、
前記装置に対応するユーザの生活圏を示す生活圏情報を取得することと、
取得した前記位置情報及び前記生活圏情報に基づき、広告群の中から、前記装置に配信する広告を選択することと、
前記選択した広告を前記装置に配信することと、
を含み、
前記広告群は、第一の広告群及び第二の広告群を含み、前記第一の広告群は、前記生活圏内に広告目的に対応する場所が存在する広告群であり、前記第二の広告群は、前記生活圏外に広告目的に対応する場所が存在する広告群であり、
前記生活圏情報には、前記生活圏内の前記ユーザの複数の行動拠点が示され、
前記選択することは、前記生活圏と前記車両の位置との関係に基づいて、前記第一の広告群と前記第二の広告群との間の配信割合を変更するように、且つ、前記第一の広告群の中から、前記複数の行動拠点のそれぞれに関連する広告群が、前記車両の位置と前記複数の行動拠点との関係に応じた配信割合で配信されるように、前記装置に配信する広告を選択することを含む広告配信方法。
【発明の詳細な説明】
【技術分野】
【０００１】
本開示は、広告配信システム、広告配信方法、及びコンピュータプログラムに関する。
【背景技術】
【０００２】
従来、カーナビゲーション装置や携帯端末を通じて、ユーザに対し、観光に関する情報を提供するシステムが知られている（例えば、特許文献１参照）。このシステムは、ユーザが不慣れな場所を訪問したときに、ユーザに対して観光に関する情報を提供する。
【先行技術文献】
【特許文献】
【０００３】
【特許文献１】国際公開２００４／０７５１３７号
【発明の概要】
【発明が解決しようとする課題】
【０００４】
しかしながら、ユーザが生活圏から離れて不慣れな場所を訪問しているときに、対応する地域の観光に関する広告をユーザに配信するだけでは、ユーザのその時点での最も関心が高いであろう地域に対応する広告を配信することができるだけである。
【０００５】
そこで、本開示の一側面によれば、車両内の装置に対する広告配信技術として、ユーザのより広範囲な関心を加味して、複数種類の広告を、車両内の装置に適切に配信可能な新規技術を提供できることが望ましい。
【課題を解決するための手段】
【０００６】
本開示の一側面によれば、車両内の装置に広告を配信するための広告配信システムが提供される。この広告配信システムは、第一取得部と、第二取得部と、選択部と、配信部とを備える。
【０００７】
第一取得部は、車両の位置を示す位置情報を取得するように構成される。第二取得部は、車両内の装置に対応するユーザの生活圏を示す生活圏情報を取得するように構成される。選択部は、第一取得部により取得された位置情報、及び、第二取得部により取得された生活圏情報に基づき、広告群の中から、装置に配信する広告を選択するように構成される。配信部は、選択部により選択された広告を装置に配信するように構成される。
【０００８】
本開示の一側面によれば、上記広告群は、生活圏に基づいて区別される第一の広告群及び第二の広告群を含む。選択部は、生活圏と車両の位置との関係に基づいて、第一の広告群と第二の広告群との間の配信割合を変更するように、車両内の装置に配信する広告を選択するように構成される。
【０００９】
人の関心は、その現在位置に対応する地域の事柄に限定されない。例えば、ユーザは、生活圏内にいるときに週末の旅行について考えていたり、旅行中にも帰宅後の生活について考えていたりする。
【００１０】
このことを考慮すると、生活圏に基づいて区別される第一の広告群及び第二の広告群を配信する場合に、第一の広告群及び第二の広告群のいずれか一方のみを、ユーザの現在位置に応じて切り替えて配信することは、必ずしも適切ではない。
【００１１】
本開示の一側面に係る広告配信システムによれば、第一の広告群及び第二の広告群に関する広告配信が、生活圏と車両の位置との関係に基づいて配信割合を変更するように実行される。従って、この広告配信システムによれば、車両内のユーザに対し、ユーザの生活圏によって区別される複数種類の広告を、従来よりも適切に配信することができる。
【００１２】
本開示の一側面によれば、第一の広告群は、生活圏内に広告目的に対応する場所が存在する広告群であり得る。第二の広告群は、生活圏外に広告目的に対応する場所が存在する広告群であり得る。
【００１３】
第一の広告群は、生活圏内に広告目的に対応する場所が存在する日常的な行動に関する広告群であってもよいし、第二の広告群は、生活圏外に広告目的に対応する場所が存在する非日常的な行動に関する広告群であってもよい。
【００１４】
本開示の一側面によれば、広告配信システムは、第二の広告群の配信割合が、車両が生活圏から離れるほど増加するように構成され得る。ユーザの関心は、より身近なものに対してより多く向けられることが多い。従って、配信割合を上述のように変更すれば、ユーザの関心に応じた適切な配信割合で、第一の広告群及び第二の広告群を配信することができる。
【００１５】
本開示の一側面によれば、広告配信システムは、車両の生活圏に対する進行方向に応じて、配信割合を変更するように構成されてもよい。選択部は、車両が生活圏外に位置しているとき、車両の生活圏に対する進行方向に応じて、配信割合を変更するように構成されてもよい。
【００１６】
例えば、選択部は、車両が生活圏に対して近づく方向に進行している場合には、第一の広告群の配信割合を増やし、車両が生活圏に対して離れる方向に進行している場合には、第二の広告群の配信割合を増やすように、配信割合を変更してもよい。
【００１７】
ユーザの関心は、通常、進行方向にある地域により強く向けられる。従って、進行方向に応じた配信割合の変更は、ユーザの関心に応じたより適切な広告配信の実現に役立つ。
【００１８】
本開示の一側面によれば、選択部は、車両内の車両乗員の構成に応じて、配信割合を変更するように構成されてもよい。
【００１９】
車両乗員の構成は、車両乗員の移動目的と相関がある。移動目的の違いは、ユーザの関心の違いに関係する。従って、車両乗員の構成に応じた配信割合の変更によれば、ユーザの関心に応じた適切な配信割合で、第一及び第二の広告群を配信することができる。
【００２０】
本開示の一側面によれば、生活圏情報には、生活圏内のユーザの複数の行動拠点が示されていてもよい。選択部は、第一の広告群の中から、複数の行動拠点のそれぞれに関連する広告群が、車両の位置と複数の行動拠点との関係に応じた配信割合で配信されるように、装置に配信する広告を選択してもよい。こうした選択によれば、生活圏に関係する広告を、ユーザの位置に応じて適切に配信することが可能である。
【００２１】
本開示の一側面によれば、上述した広告配信システムが有する機能の一部又は全部を、コンピュータに実現させるためのコンピュータプログラムが提供されてもよい。上記した広告配信システムにおける第一取得部、第二取得部、選択部、及び、配信部としてコンピュータを機能させるためのコンピュータプログラムが提供されてもよい。コンピュータプログラムは、コンピュータ読取可能な一時的でない記録媒体に格納されてもよい。
【００２２】
本開示の一側面によれば、上述した広告配信システムにおいて実現される手順の一部又は全部を備える広告配信方法が提供されてもよい。
【００２３】
本開示の一側面によれば、車両内の装置に広告を配信するための広告配信方法であって、コンピュータが、車両の位置を示す位置情報を取得することと、車両内の装置に対応するユーザの生活圏を示す生活圏情報を取得することと、取得した位置情報及び生活圏情報に基づき、広告群の中から、車両内の装置に配信する広告を選択することと、選択した広告を装置に配信することと、を含む広告配信方法が提供されてもよい。
【００２４】
この広告配信方法において、広告群は、生活圏に基づいて区別される第一の広告群及び第二の広告群を含んでいてもよい。選択することは、生活圏と車両の位置との関係に基づいて、第一の広告群と第二の広告群との間の配信割合を変更するように、装置に配信する広告を選択することを含んでいてもよい。この広告配信方法も、上述した広告配信システムと同様の効果を奏する。
【図面の簡単な説明】
【００２５】
【図１】本開示の例示実施形態に係るシステムの概略構成を表すブロック図である。
【図２】広告配信システムの概略構成を表すブロック図である。
【図３】ユーザ装置の概略構成を表すブロック図である。
【図４】ユーザ装置のプロセッサが実行する広告出力処理を表すフローチャートである。
【図５】ユーザ装置のプロセッサが実行する位置送信処理を表すフローチャートである。
【図６】広告配信システムのプロセッサが実行する配信制御処理を表すフローチャート（その１）である。
【図７】広告配信システムのプロセッサが実行する配信制御処理を表すフローチャート（その２）である。
【図８】第一変形例において、広告配信システムのプロセッサが実行する処理を表すフローチャートである。
【図９】図９Ａ及び図９Ｂは、第二変形例において、広告配信システムのプロセッサが実行する処理を表すフローチャートである。
【図１０】第三変形例において、広告配信システムのプロセッサが実行する処理を表すフローチャートである。
【図１１】複数の行動拠点と車両位置との間の距離を説明した図である。
【発明を実施するための形態】
【００２６】
以下に本開示の例示的実施形態を、図面を参照しながら説明する。
図１に示す本実施形態の通信システム１は、広告配信サービスを提供する事業者側システムとしての広告配信システム１０と、広告データ１３１Ａを受信する複数のユーザ装置７０とを備える。
【００２７】
この広告配信サービスで配信される広告データ１３１Ａは、車両５０で移動する消費者向けの広告コンテンツを含む。この広告コンテンツは、ユーザ装置７０から、画像及び音声の少なくとも一方の形態で、運転者又は車両乗員としてのユーザに提供される。車両５０の例には、四輪自動車が含まれる。
【００２８】
ユーザ装置７０のそれぞれは、予め利用登録がなされたユーザが所有する電子機器、特には通信機能を有する電子機器である。電子機器の例には、車両５０に搭載されたカーナビゲーション装置、及び、同種の機能を有する他の電子機器が含まれる。他の電子機器の例には、車両５０内に持ち込み可能なナビゲーションシステムを有する電子機器が含まれ、該当する電子機器には、スマートフォン及びタブレット端末等の携帯端末が含まれる。
【００２９】
詳述すると、広告配信システム１０は、保有する広告データ１３１Ａの一群に基づき、広域ネットワークＮＴ１を通じて、複数のユーザ装置７０のそれぞれに、個別の広告データ１３１Ａを配信するように構成される。
【００３０】
図２に示すように、広告配信システム１０は、プロセッサ１１、メモリ１２、ストレージ１３、及び、通信インタフェース１９を備える。プロセッサ１１は、ストレージ１３に記録されたコンピュータプログラムに従う処理を実行するように構成される。
【００３１】
メモリ１２は、主記憶装置であり、プロセッサ１１によるコンピュータプログラムに従う処理実行時に、作業用メモリとして機能する。ストレージ１３は、補助記憶装置であり、例えばハードディスクドライブにより構成される。通信インタフェース１９は、ユーザ装置７０と通信可能に構成される。
【００３２】
ストレージ１３は、広告データ１３１Ａの一群が登録された広告データベース１３１と、複数のユーザに関する管理情報が記録されたユーザ管理データベース１３３とを備える。
【００３３】
広告データベース１３１は、広告コンテンツ毎に、広告データ１３１Ａを備える。各広告データ１３１Ａは、コンテンツＩＤに関連付けて、広告コンテンツ本体と、広告コンテンツのカテゴリや広告目的に対応する場所を説明する付属データと、を備える。
【００３４】
ここでいう広告目的に対応する場所は、広告コンテンツにより期待されるユーザの消費行動が実現される場所を含む。広告コンテンツが施設を宣伝することを目的とした広告コンテンツである場合、広告目的に対応する場所は、上記施設である。施設の例には、規模に限定されない大小の店舗、商業施設、及び観光施設等が含まれる。
【００３５】
ユーザ管理データベース１３３は、ユーザ毎に、ユーザ管理データ１３３Ａを備える。ユーザ管理データ１３３Ａは、ユーザＩＤに関連付けて、ユーザの特徴を表す特徴データと、ユーザの生活圏を表す生活圏データと、を備える。
【００３６】
特徴データは、ユーザの性別及び年齢等のデモグラフィック属性、並びに、ユーザの趣味及び嗜好を含むユーザの行動特性を表すデータである。行動特性を表すデータには、ユーザがよく訪れる施設の傾向を表すデータが含まれていてもよい。特徴データは、ユーザの関心の高い広告データ１３１Ａを選択するために利用される。
【００３７】
生活圏データは、ユーザの生活圏を定義するデータとして構成される。ここでいう生活圏は、ユーザの日常の行動圏を意味する。換言すれば、生活圏は、日常生活におけるユーザの行動範囲を意味する。
【００３８】
生活圏データは、ユーザの第一の行動拠点として、ユーザの生活の本拠となっている地点、例えば自宅の位置データを含む。生活圏データは更に、第二の行動拠点として、ユーザが通う学校や勤務地等の、ユーザの生活における副拠点になっている地点の位置データを含んでいてもよい。
【００３９】
生活圏データは、生活圏の地理的範囲を、一つ以上の行動拠点からの距離で表すデータとして構成され得る。あるいは、生活圏データは、生活圏の地理的範囲を、一つ以上の行動拠点を含む一つ以上の行政区域で表すデータとして構成されてもよい。ここでいう行政区域は、市町村等で区切られる区域である。
【００４０】
生活圏の地理的範囲は、行動拠点を基準とする所定範囲に一律に定義され得る。あるいは、生活圏の地理的範囲は、行動拠点を基準とするユーザから指定された範囲に定義されてもよい。プロセッサ１１は、ユーザ装置７０を通じてユーザから行動拠点及び／又は生活圏を指定するデータを取得し、ユーザ管理データ１３３Ａに登録することができる。
【００４１】
ユーザ装置７０は、車内ネットワークＮＴ２を通じて車両５０内の車載システム５１と接続され、車載システム５１と連携しながら、ユーザに対して、広告配信システム１０から受信した広告データ１３１Ａに含まれる広告コンテンツを画像及び音声の形態で出力するように動作する。
【００４２】
図３に示すように、ユーザ装置７０は、プロセッサ７１と、メモリ７２と、ストレージ７３と、ＧＰＳ受信機７５と、入力インタフェース７６と、スピーカ７７と、ディスプレイ７８と、通信インタフェース７９と、を備える。
【００４３】
プロセッサ７１は、ストレージ７３に記録されたコンピュータプログラムに従う処理を実行するように構成される。メモリ７２は、主記憶装置であり、プロセッサ７１によるコンピュータプログラムに従う処理実行時に、作業用メモリとして機能する。ストレージ７３は、補助記憶装置であり、例えば、フラッシュメモリにより構成される。
【００４４】
ＧＰＳ受信機７５は、ＧＰＳ衛星から受信したＧＰＳ衛星信号に基づき、現在位置を計測し、その計測位置を表す位置データをプロセッサ７１に提供するように構成される。入力インタフェース７６は、ユーザからの操作信号をプロセッサ７１に入力するように構成される。具体的に、入力インタフェース７６は、ディスプレイ７８上のタッチパネル、メカニカルなキースイッチ、及び、音声操作用のマイクロフォンを備える。
【００４５】
スピーカ７７は、プロセッサ７１により制御されて、各種音声を出力するように構成される。ディスプレイ７８は、例えば、液晶ディスプレイであり、プロセッサ７１に制御されて、操作画面、ナビゲーション画面、メッセージ画面等の各種画面を、ユーザに向けて表示するように構成される。
【００４６】
通信インタフェース７９は、広告配信システム１０と広域ネットワークＮＴ１を通じて無線通信可能な構成され、更には、車内ネットワークＮＴ２を通じて、車載システム５１と無線通信可能に構成される。
【００４７】
車載システム５１は、車両５０の駐停車及び運転開始に関する情報、並びに、車両乗員の構成に関する情報等の、ユーザ装置７０が自ら直接取得できない情報を、ユーザ装置７０が車載システム５１から間接的に取得するために利用される。
【００４８】
続いて、ユーザ装置７０のプロセッサ７１が、広告コンテンツの出力のために実行する処理の詳細を説明する。プロセッサ７１は、ユーザ装置７０に予めインストールされたコンピュータプログラムに従って、図４に示す広告出力処理を繰返し実行する。コンピュータプログラムは、ユーザ装置７０の出荷時にプリインストールされてもよいし、ダウンロードサイトを通じてユーザ装置７０にインストールされてもよい。
【００４９】
ユーザ装置７０がカーナビゲーション装置である場合、プロセッサ７１は、電力供給を受けている間、繰返し広告出力処理を実行することができる。ユーザ装置７０がスマートフォンなどの車両５０内に持ち込まれる携帯型の電子機器である場合、プロセッサ７１は、ユーザ装置７０が車載システム５１と車内ネットワークＮＴ２を通じて接続されている期間、広告出力処理を繰返し実行することができる。別例として、プロセッサ７１は、ユーザから入力インタフェース７６を通じて広告出力処理の開始指示が入力されたことを条件に、終了指示が入力されるまでの間、広告出力処理を繰返し実行することができる。
【００５０】
プロセッサ７１は、広告出力処理の繰返し実行を開始する前の初期処理として、広告配信システム１０にユーザの識別情報である上記ユーザＩＤを送信し、広告配信システム１０とユーザ装置７０との接続を確立することができる。
【００５１】
図４に示す広告出力処理を開始すると、プロセッサ７１は、広告データ１３１Ａを広告配信システム１０から受信するまで待機する（Ｓ１１０）。プロセッサ７１は、広告データ１３１Ａを受信すると（Ｓ１１０でＹｅｓ）、受信した広告データ１３１Ａに含まれる広告コンテンツを、スピーカ７７及びディスプレイ７８を通じて、音声及び画像の形態で、ユーザを含む車両乗員に向けて出力する（Ｓ１２０）。
【００５２】
例えば、プロセッサ７１は、スピーカ７７を通じて『Ａ店舗でＢキャンペーンを実施中です。ご利用しませんか？』との音声が出力されるように、スピーカ７７に対して音声信号を出力する処理を実行することができる。プロセッサ７１は、この音声の出力に合わせて、対応するメッセージが画像の形態、特には文字の形態で表示されるように、ディスプレイ７８を制御することができる。
【００５３】
プロセッサ７１は更に、車両５０の位置データを、広告配信システム１０に送信する位置送信処理を、広告出力処理とは並列に繰返し実行する。図５に示す位置送信処理によれば、プロセッサ７１は、広告配信システム１０からの位置データの要求信号を受信するまで待機する（Ｓ２１０）。
【００５４】
プロセッサ７１は、通信インタフェース７９を通じて要求信号を受信すると（Ｓ２１０でＹｅｓ）、ＧＰＳ受信機７５から現在位置座標を表す位置データを取得し、この位置データを、車両５０の位置データとして、広告配信システム１０に送信する（Ｓ２２０）。
【００５５】
広告配信システム１０のプロセッサ１１は、上述したユーザ装置７０との接続確立後、ユーザ装置７０への広告配信のために、図６に示す配信制御処理を繰返し実行する。プロセッサ１１は、所定周期で図６に示す配信制御処理を実行することにより、ユーザ装置７０に、現在位置に応じた広告を周期的に配信することができる。
【００５６】
図６に示す配信制御処理を開始すると、プロセッサ１１は、対応するユーザ装置７０に位置データの要求信号を送信して、ユーザ装置７０から、車両５０の現在位置を表す位置データを取得する（Ｓ３１０）。
【００５７】
その後、プロセッサ１１は、対応するユーザのユーザ管理データ１３３Ａに含まれる生活圏データを読み出し（Ｓ３１５）、取得した位置データ及び読み出した生活圏データに基づき、車両５０の現在位置が、対応するユーザの生活圏内であるか否かを判断する（Ｓ３２０）。Ｓ３２０において、プロセッサ１１は、位置データが示す現在位置が、生活圏データにより定義されるユーザの生活圏内にあるか否かを判断することができる。
【００５８】
本実施形態の広告配信システム１０は、ユーザ装置７０が生活圏内に位置するか否かに応じて、生活圏に関する第一種の広告データと、非生活圏に関する第二種の広告データとの配信割合を切り替えて、これらの広告データをユーザ装置７０に配信する。Ｓ３２０における判断は、この配信割合を切り替えるために実行される。
【００５９】
第一種の広告データは、日常的な行動、即ち日常生活で利用される施設である第一施設に関する広告データ１３１Ａである。第一施設の例には、スーパーマーケット、大型商業施設、コンビニエンスストア、カフェ、本屋、映画館、及び、ボーリング場などが含まれる。このことから理解できるように、第一施設には、日常的に利用される種類の余暇施設も含まれる。
【００６０】
第二種の広告データは、生活圏外の非日常的な余暇行動で利用される施設である第二施設に関する広告データ１３１Ａである。該当する余暇行動で利用される施設のカテゴリには、大型商業施設、観光施設、カフェ、及び、コンビニエンスストアなどが含まれる。
【００６１】
上記記載から理解できるように、大型商業施設、カフェ、及び、コンビニエンスストアなど、日常的な行動、非日常的な行動のいずれにおいても利用される施設の広告データ１３１Ａは、ユーザの生活圏との関係で、第一種の広告データにもなり得るし、第二種の広告データにもなり得る。
【００６２】
以下では、生活圏に関する第一種の広告データ、特には、生活圏内の第一施設を広告目的とする広告データ１３１Ａのことを、生活圏広告データと表現し、非生活圏に関する第二種の広告データ、特には、生活圏外の第二施設を広告目的とする広告データ１３１Ａのことを、非生活圏広告データと表現する。
【００６３】
プロセッサ１１は、ユーザの生活圏と、広告データ１３１Ａ内の付属データが示す広告コンテンツのカテゴリとに基づいて、広告データベース１３１内の各広告データ１３１Ａが、生活圏広告データ、及び、非生活圏広告データのいずれであるかを判別することができる。この判別のために、ストレージ１３には、第一種の広告データに該当する広告コンテンツのカテゴリ一覧と、第二種の広告データに該当する広告コンテンツのカテゴリ一覧とが、予め格納され得る。
【００６４】
プロセッサ１１は、車両５０の現在位置が生活圏内にあると判断すると（Ｓ３２０でＹｅｓ）、Ｓ３３０に移行し、生活圏に関する広告配信割合Ｒを、第一の割合Ｒ１＝Ｒ１１／（Ｒ１１＋Ｒ１２）に設定する。広告配信割合Ｒは、ユーザ装置７０に配信される広告データ１３１Ａの一群における、生活圏広告データの割合を意味する。
【００６５】
本実施形態の広告配信システム１０は、車両５０が生活圏内にあるとき、生活圏広告データ及び非生活圏広告データを、Ｒ１１：Ｒ１２の比率で配信する。値Ｒ１１及び値Ｒ１２は、条件式Ｒ１１＞Ｒ１２＞０を満足し、第一の割合Ｒ１は、５０％よりも大きい値に定められる。
【００６６】
値Ｒ１２＞０であることからも理解できるように、第一の割合Ｒ１は、１００％未満に定められる。これにより、本実施形態では、ユーザ装置７０が生活圏内に位置するときにも、ユーザ装置７０には非生活圏広告データが配信される。第一の割合Ｒ１は、広告配信システム１０の設計者により、例えば８０％に定められる。この場合には、ユーザが生活圏に位置するときにも、非生活圏広告データが、１／５の確率でユーザに配信される。
【００６７】
Ｓ３３０での処理を終えると、プロセッサ１１は、配信対象データの種類として、生活圏広告データ及び非生活圏広告データの一方を、Ｓ３３０で設定された広告配信割合Ｒ＝Ｒ１に対応する確率で選択する（Ｓ３４０）。すなわち、確率Ｒ１で生活圏広告データを選択し、確率｛１−Ｒ１｝で、非生活圏広告データを選択する。プロセッサ１１は、乱数を用いて上記確率に従う選択を実現することができる。
【００６８】
その後、プロセッサ１１は、Ｓ３４０で選択された種類が生活圏広告データであるか否かを判断する（Ｓ３５０）。選択された種類が生活圏広告データであると判断すると（Ｓ３５０でＹｅｓ）、プロセッサ１１は、配信候補として、ユーザの生活圏内に広告目的に対応する施設が存在する第一種の広告データの一群を、広告データベース１３１内で探索及び抽出する（Ｓ３６０）。
【００６９】
その後、プロセッサ１１は、ユーザの特徴に基づいて、Ｓ３６０で抽出された広告データ１３１Ａの一群のうち、ユーザに最適な広告データ１３１Ａを、配信対象の広告データ１３１Ａとして選択し（Ｓ３７０）、選択した広告データ１３１Ａを、対応するユーザのユーザ装置７０に配信する（Ｓ４００）。この際、プロセッサ１１は、ユーザのデモグラフィック属性、ユーザの行動特性、現在位置、及び、車両５０の進路に基づき、配信候補の広告データ１３１Ａの一群をスコアリングして、配信対象の広告データ１３１Ａを選択することができる。
【００７０】
プロセッサ１１は、Ｓ３５０において、選択された配信対象データの種類が生活圏広告データではなく、非生活圏広告データであると判断すると、Ｓ３８０に移行し、配信候補として、ユーザの生活圏外に広告目的に対応する施設が存在する第二種の広告データの一群を、広告データベース１３１内で探索及び抽出する。
【００７１】
その後、プロセッサ１１は、ユーザの特徴に基づいて、Ｓ３８０で抽出された広告データ１３１Ａの一群のうち、ユーザに最適な広告データ１３１Ａを、配信対象の広告データ１３１Ａとして選択し（Ｓ３９０）、選択した広告データ１３１Ａを、対応するユーザのユーザ装置７０に配信する（Ｓ４００）。この際、プロセッサ１１は、ユーザのデモグラフィック属性、及び、ユーザの行動特性に基づき、配信候補の広告データ１３１Ａの一群をスコアリングして、配信対象の広告データ１３１Ａを選択することができる。Ｓ３９０における上記選択に際しては、更に、車両５０の現在位置が考慮されてもよい。
【００７２】
この他、プロセッサ１１は、車両５０の現在位置が生活圏内にないと判断すると（Ｓ３２０でＮｏ）、Ｓ４１０に移行する（図７参照）。Ｓ４１０において、プロセッサ１１は、広告配信割合Ｒを、第二の割合Ｒ２＝Ｒ２１／（Ｒ２１＋Ｒ２２）に設定する。
【００７３】
本実施形態の広告配信システム１０は、車両５０が生活圏外にあるとき、生活圏広告データ及び非生活圏広告データを、Ｒ２１：Ｒ２２の比率で配信する。値Ｒ２１及び値Ｒ２２は、条件式Ｒ２２＞Ｒ２１＞０を満足し、第二の割合Ｒ２は、５０％よりも小さい値に定められる。
【００７４】
値Ｒ２１＞０であることからも理解できるように、第二の割合Ｒ２は、０％より大きい値に定められる。これにより、本実施形態では、ユーザ装置７０が生活圏外に位置していても、ユーザ装置７０には生活圏広告データが配信される。第二の割合Ｒ２は、広告配信システム１０の設計者により、例えば２０％に定められる。この場合には、ユーザが生活圏外に位置するときにも、生活圏広告データが、１／５の確率でユーザに配信される。
【００７５】
Ｓ４１０での処理を終えると、プロセッサ１１は、Ｓ４２０に移行して、配信対象データの種類として、生活圏広告データ及び非生活圏広告データの一方を、Ｓ４１０で設定された広告配信割合Ｒ＝Ｒ２に対応する確率で選択する。すなわち、配信対象データの種類として、確率Ｒ２で生活圏広告データを選択し、確率｛１−Ｒ２｝で、非生活圏広告データを選択する。
【００７６】
その後、プロセッサ１１は、Ｓ４２０で選択された種類が生活圏広告データであるか否かを判断する（Ｓ４３０）。選択された種類が生活圏広告データであると判断すると（Ｓ４３０でＹｅｓ）、プロセッサ１１は、Ｓ３６０での処理と同様に、配信候補として、ユーザの生活圏内に広告目的に対応する施設が存在する第一種の広告データの一群を、広告データベース１３１内で探索及び抽出する（Ｓ４４０）。
【００７７】
その後、プロセッサ１１は、ユーザの特徴に基づいて、Ｓ４４０で抽出された広告データ１３１Ａの一群のうち、ユーザに最適な広告データ１３１Ａを、配信対象の広告データ１３１Ａとして選択し（Ｓ４５０）、選択した広告データ１３１Ａを、対応するユーザのユーザ装置７０に配信する（Ｓ４８０）。
【００７８】
例えば、プロセッサ１１は、現在位置と行動拠点との関係からユーザの帰路を推定して、帰路に沿う施設の広告データ１３１Ａを配信対象の広告データ１３１Ａに選択することができる。選択に際して、ユーザのデモグラフィック属性、及び、ユーザの行動特性が考慮され得ることは言うまでもない。
【００７９】
プロセッサ１１は、Ｓ４３０において、選択された種類が非生活圏広告データであると判断すると、配信候補として、生活圏外の現在位置周辺に広告目的に対応する施設が存在する第二種の広告データの一群を、広告データベース１３１内で探索及び抽出する（Ｓ４６０）。
【００８０】
その後、プロセッサ１１は、ユーザの特徴に基づいて、Ｓ４６０で抽出された広告データ１３１Ａの一群のうち、ユーザに最適な広告データ１３１Ａを、配信対象の広告データ１３１Ａとして選択し（Ｓ４７０）、選択した広告データ１３１Ａを、対応するユーザのユーザ装置７０に配信する（Ｓ４８０）。この際、プロセッサ１１は、ユーザのデモグラフィック属性、ユーザの行動特性、現在位置、及び、車両５０の進路に基づき、配信候補の広告データ１３１Ａの一群をスコアリングして、配信対象の広告データ１３１Ａを決定することができる。
【００８１】
プロセッサ１１は、上述の手順を含む配信制御処理を周期的に繰り返し実行することにより、ユーザ装置７０に対して生活圏広告データ及び非生活圏広告データを切り替えて配信する。
【００８２】
以上に説明した本実施形態の広告配信システム１０によれば、生活圏にユーザが存在するときにも、非生活圏に関する広告データ１３１Ａを配信し、非生活圏にユーザが存在するときにも、生活圏に関する広告データ１３１Ａを配信する。そして、これらの広告配信割合Ｒを、ユーザ（車両５０）の現在位置と、生活圏との関係に応じて変更する。
【００８３】
消費者は、当日の行動だけではなく、数日後や週末の行動についても検討していることが多い。また、消費者が計画的に行動している場合には、現在位置周辺の広告コンテンツを消費者に提示しても、消費者が広告コンテンツに関心を示す確率は下がる。
【００８４】
本実施形態によれば、こうした消費者の特徴に対応して、生活圏内及び生活圏外の広告コンテンツを、統計的又は確率的な観点から配信割合を変更して配信することができ、消費者及び広告主にとって有意義な広告配信システム１０を構築することができる。
【００８５】
上記の広告配信割合Ｒ、即ち第一及び第二の割合Ｒ１，Ｒ２は、消費者の行動に関する統計的な傾向に基づき決定することができる。これにより、各個人に対してというよりかは、消費者の集団に対して、統計的又は確率的に、適切な広告配信を実現することができる。
【００８６】
広告配信システム１０の構成が、上述した実施形態に限定されるものではなく、種々の態様を採り得ることは言うまでもない。以下に説明する変形例の広告配信システム１０は、上述の広告配信システム１０の一部を変更して構成される。
【００８７】
従って、以下における変形例の説明では、変形例に特徴的な広告配信システム１０の構成のみを選択的に説明し、上記の広告配信システム１０と同一構成部分の説明を、省略する。
【００８８】
第一変形例の広告配信システム１０によれば、プロセッサ１１は、Ｓ４１０の処理に代えて、図８に示す処理を実行し、生活圏外における広告配信割合Ｒ＝Ｒ２を設定する。
【００８９】
プロセッサ１１は、図８に示す処理を開始すると、生活圏内の基準点から車両５０の現在位置までの距離を算出する（Ｓ４１１）。基準点は、上述した第一の行動拠点であってもよいし、生活圏の重心であってもよい。
【００９０】
プロセッサ１１は更に、車両５０の移動方向を判別する（Ｓ４１２）。具体的には、プロセッサ１１は、移動方向が、生活圏に近づく方向及び生活圏から遠ざかる方向のいずれであるかを判別する。この判別のために、プロセッサ１１は、Ｓ３１０において、ユーザ装置７０から、現在位置だけではなく、移動軌跡を判別可能な位置データを取得することができる。
【００９１】
Ｓ４１２において、プロセッサ１１は、生活圏の外縁又は生活圏の重心からの距離が長くなる方向に車両５０が移動しているとき、移動方向が生活圏から遠ざかる方向であると判別することができる。
【００９２】
Ｓ４１２での処理後、プロセッサ１１は、Ｓ４１１で算出した距離及びＳ４１２で判別した移動方向に基づいて、広告配信割合Ｒ＝Ｒ２を設定する（Ｓ４１３）。具体的には、プロセッサ１１は、移動方向が、生活圏に近づく方向であるときには、移動方向が生活圏から遠ざかる方向よりも、生活圏広告データの配信割合が増えるように、すなわち、広告配信割合Ｒ＝Ｒ２を大きくするように、広告配信割合Ｒ＝Ｒ２を設定する。
【００９３】
この際、プロセッサ１１は、生活圏内の基準点から現在位置までの距離が長いほど、広告配信割合Ｒ２を小さくするように、広告配信割合Ｒ＝Ｒ２を設定する。設定される広告配信割合Ｒ＝Ｒ２は、例えば５０％未満である。
【００９４】
図８に示す例示的なグラフによれば、直線Ｌ１は、移動方向が生活圏に近づく方向であるときの広告配信割合Ｒ＝Ｒ２の例を示し、直線Ｌ２は、移動方向が生活圏から遠ざかる方向であるときの広告配信割合Ｒ＝Ｒ２の例を示す。
【００９５】
このグラフでは、広告配信割合Ｒ＝Ｒ２が距離に対して線形に変化するが、広告配信割合Ｒ＝Ｒ２は、距離を入力変数とする階段関数で定義されてもよいし、その他の、距離に対する単調非増加関数又は単調減少関数で定義されてもよい。
【００９６】
生活圏の広告データ１３１Ａに対する関心は、ユーザが生活圏から離れるほど小さくなる。一方で、生活圏から遠い位置にユーザがいる場合でも、ユーザが行動拠点へ帰る方向に移動している場合には、そうでない場合よりも、生活圏の広告データ１３１Ａに対する関心が高くなる。
【００９７】
従って、第一変形例に従う広告配信割合Ｒ＝Ｒ２の設定手法によれば、ユーザの関心に応じた適切な広告配信割合Ｒで、生活圏広告データ及び非生活圏広告データを配信することができる。
【００９８】
続いて、第二変形例を説明する。第二変形例の広告配信システム１０は、車両５０内の車両乗員の構成に基づき広告配信割合Ｒとしての第一の割合Ｒ１及び第二の割合Ｒ２を修正するように動作する。
【００９９】
第二変形例において、プロセッサ１１は、Ｓ３３０の処理に代えて、図９Ａに示す処理を実行する。更に、プロセッサ１１は、Ｓ４１０の処理に代えて、図９Ｂに示す処理を実行する。
【０１００】
図９Ａに示す処理を開始すると、プロセッサ１１は、Ｓ３３０での処理と同様に、広告配信割合Ｒを第一の割合Ｒ１を設定した後（Ｓ３３１）、ユーザ装置７０に車両乗員データを要求する要求信号を送信して、ユーザ装置７０から車両乗員データを取得する（Ｓ３３２）。
【０１０１】
車両乗員データは、ユーザ装置７０に対応する車両５０内の車両乗員数を表すデータである。ユーザ装置７０のプロセッサ７１は、広告配信システム１０からの要求信号に応じて、車両乗員データを広告配信システム１０に送信するように動作することができる。プロセッサ７１は、車載システム５１から車両乗員数の情報を取得し、広告配信システム１０に、車両乗員数を記した車両乗員データを送信することができる。
【０１０２】
車載システム５１は、車室内を撮影するカメラや、シートに設けられた着座センサの出力信号に基づき、車両乗員数を判別して、判別した車両乗員数の情報をユーザ装置７０に提供することができる。
【０１０３】
広告配信システム１０のプロセッサ１１は、ユーザ装置７０から車両乗員データを取得すると、Ｓ３３３に移行し、車両乗員データから識別される車両乗員数に応じて、Ｓ３３１で設定した広告配信割合Ｒ＝Ｒ１を修正する。その後、プロセッサ１１は、Ｓ３４０に移行し、修正した広告配信割合Ｒ＝Ｒ１に基づく処理を実行する。
【０１０４】
プロセッサ１１は、車両乗員が一人だけ、すなわち運転者だけであるときには、非生活圏広告データに対する関心が低いとみなして、広告配信割合Ｒ＝Ｒ１を上げる方向に修正し、車両乗員が二人以上であるときには、非生活圏広告データに対する関心が高いとみなして、広告配信割合Ｒ＝Ｒ１を下げる方向に修正することができる。
【０１０５】
図９Ｂに示す処理を開始すると、プロセッサ１１は、Ｓ４１０での処理と同様に、広告配信割合Ｒを、第二の割合Ｒ２に設定した後（Ｓ４１７）、ユーザ装置７０から車両乗員データを取得し（Ｓ４１８）、取得した車両乗員データから識別される車両乗員数に基づいて、Ｓ３３３での処理と同様に、広告配信割合Ｒ＝Ｒ２を修正する（Ｓ４１９）。その後、プロセッサ１１は、Ｓ４２０に移行し、修正した広告配信割合Ｒ＝Ｒ２に基づく処理を実行する。
【０１０６】
上述した第二変形例によれば、広告配信システム１０は、車両５０内の環境又は雰囲気に合わせて、適切な配信割合で、生活圏広告データ及び非生活圏広告データを配信することができる。
【０１０７】
続いて、第三変形例を説明する。第三変形例において、プロセッサ１１は、Ｓ３６０及びＳ３７０の処理に代えて、図１０に示す処理を実行する。図１０に示す処理は、生活圏データにおいて複数の行動拠点が示されていることを前提に、実行される。この処理では、複数の行動拠点と、車両５０の現在位置との関係に基づいて決定される配信割合で、複数の行動拠点に関する生活圏広告データが配信される。
【０１０８】
図１０に示す処理を開始すると、プロセッサ１１は、対応するユーザの生活圏データを参照して、複数の行動拠点の位置を判別し、Ｓ３１０で取得した位置データが示す車両５０の現在位置と、各行動拠点との間の距離を判別する（Ｓ６１０）。
【０１０９】
行動拠点が二つである場合、プロセッサ１１は、図１１に示すように、現在位置Ｐと第一の行動拠点Ｚ１との間の距離Ｄ１、及び、現在位置Ｐと第二の行動拠点Ｚ２との間の距離Ｄ２を判別する。
【０１１０】
その後、プロセッサ１１は、判別した距離に基づいて、複数の行動拠点のそれぞれの選択割合、換言すれば、各行動拠点に関する広告データ１３１Ａの配信割合を設定する（Ｓ６２０）。具体的に、プロセッサ１１は、現在位置Ｐとの間の距離が短い行動拠点ほど、選択割合が増えるように、複数の行動拠点のそれぞれの選択割合を設定する。
【０１１１】
簡単な例によれば、プロセッサ１１は、現在位置との距離が短い行動拠点から順に、予め定められた段階的に小さくなる選択割合を設定することができる。別の例によれば、プロセッサ１１は、第ｉの行動拠点の選択割合Ｗｉを、式Ｗｉ＝１／｛Ｄｉ／ΣＤｉ｝に従って設定することができる。すなわち、第一の行動拠点Ｚ１の選択割合Ｗ１を、Ｗ１＝１／｛Ｄ１／ΣＤｉ｝に設定し、第二の行動拠点Ｚ２の選択割合Ｗ２を、Ｗ２＝１／｛Ｄ２／ΣＤｉ｝に設定することができる。ここでΣＤｉは、各行動拠点と現在位置Ｐとの間の距離Ｄ１，Ｄ２，…の総和を意味する。
【０１１２】
Ｓ６２０での処理を終えると、プロセッサ１１は、Ｓ６３０に移行し、Ｓ６２０で設定した選択割合Ｗ１，Ｗ２，…に対応する確率で、複数の行動拠点の一つを選択する。
【０１１３】
Ｓ６３０での処理を終えると、プロセッサ１１は、上記選択した行動拠点を基準とした所定区域に広告目的に対応する施設が存在する生活圏広告データの一群を、広告データベース１３１から抽出する（Ｓ６４０）。
【０１１４】
ここでいう所定区域は、生活圏全体を、複数の行動拠点の位置に応じて複数の区域に分割したときの上記選択した行動拠点に対応する区域である。生活圏は、図１１に示すように各行動拠点を基準とした所定半径の円形区域の和集合に定義され得る。
【０１１５】
Ｓ６４０での処理を終えると、プロセッサ１１は、ユーザの特徴に基づいて、Ｓ６４０で抽出された広告データ１３１Ａの一群のうち、ユーザに最適な広告データ１３１Ａを、配信対象の広告データ１３１Ａとして選択する（Ｓ６５０）。その後、プロセッサ１１は、選択した広告データ１３１Ａを、対応するユーザのユーザ装置７０に配信する（Ｓ４００）。
【０１１６】
以上に説明した第三変形例によれば、ユーザに対する効果的な広告配信を実現することができる。すなわち、ユーザは、ある行動拠点の近くにいるときにも、別の行動拠点に関する広告コンテンツに関心があり、その関心の程度は、現在位置と拠点との間の距離と相関がある。
【０１１７】
従って、第三変形例によれば、複数の行動拠点に関する第一種の広告データのそれぞれを、ユーザの生活圏内において、ユーザの現在位置に応じた適切な配信割合で、ユーザ装置７０に配信することができ、ユーザに対する効果的な広告配信を実現することができる。
【０１１８】
以上に、本開示の例示的実施形態として、変形例を含む複数の実施形態を説明したが、これらの実施形態の構成の一部は、省略されてもよい。上記実施形態の構成の少なくとも一部は、他の実施形態の構成に対して付加又は置換されてもよい。特許請求の範囲に記載の文言から特定される技術思想に含まれるあらゆる態様が本開示の実施形態である。
【０１１９】
最後に用語間の対応関係を説明する。プロセッサ１１が実行するＳ３１０の処理は、第一取得部によって実現される処理の一例に対応する。プロセッサ１１が実行するＳ３１５の処理は、第二取得部によって実現される処理の一例に対応する。
【０１２０】
プロセッサ１１が実行するＳ３２０〜Ｓ３９０，Ｓ４１０〜ＳＳ４７０，Ｓ６１０〜Ｓ６５０の処理は、選択部によって実現される処理の一例に対応する。プロセッサ１１が実行するＳ４００，Ｓ４８０の処理は、配信部によって実現される処理の一例に対応する。
【符号の説明】
【０１２１】
１…通信システム、１０…広告配信システム、１１…プロセッサ、１２…メモリ、１３…ストレージ、１９…通信インタフェース、５０…車両、５１…車載システム、７０…ユーザ装置、７１…プロセッサ、７２…メモリ、７３…ストレージ、７５…ＧＰＳ受信機、７６…入力インタフェース、７７…スピーカ、７８…ディスプレイ、７９…通信インタフェース、１３１…広告データベース、１３１Ａ…広告データ、１３３…ユーザ管理データベース、１３３Ａ…ユーザ管理データ、ＮＴ１…広域ネットワーク、ＮＴ２…車内ネットワーク。
【要約】
【課題】複数種類の広告を、車両内の装置に適切に配信可能な新規技術を提供すること。
【解決手段】本開示の一側面に係る広告配信方法では、車両の位置を示す位置情報が取得される。車両内の装置に対応するユーザの生活圏を示す生活圏情報が取得される。取得された位置情報及び生活圏情報に基づき、広告群の中から、車両内の装置に配信する広告が選択される（Ｓ３２０−３９０，Ｓ４１０−４７０）。選択された広告が車両内の装置に配信される（Ｓ４００，Ｓ４８０）。広告群は、生活圏に基づいて区別される第一の広告群及び第二の広告群を含む。生活圏と車両の位置との関係に基づいて、第一の広告群と第二の広告群との間の配信割合が変更される（Ｓ３２０，Ｓ３３０，Ｓ４１０）。
【選択図】図６【図１】
0006748273.tif 000002
【図２】
0006748273.tif 000003
【図３】
0006748273.tif 000004
【図４】
0006748273.tif 000005
【図５】
0006748273.tif 000006
【図６】
0006748273.tif 000007
【図７】
0006748273.tif 000008
【図８】
0006748273.tif 000009
【図９】
0006748273.tif 000010
【図１０】
0006748273.tif 000011
【図１１】
0006748273.tif 000012